(57)【特許請求の範囲】
【請求項１】
基材に固定された固定具と、
前記基材の表面に重ねられ、且つ貫通孔に前記固定具が嵌挿されて基材に固定される第１部材と、
前記第１部材の表面に重ねられて、且つ貫通孔に前記固定具が嵌挿されて基材に固定される第２部材とを含み、
前記固定具は、
少なくとも前記基材に固定される首部と、
前記首部に回動自在に固定される頭部とを備え、
前記頭部が一方向に向いているときに前記第１部材の貫通孔に嵌挿され、且つ前記頭部が一方向を向いているときに嵌挿された第１部材の孔縁が、前記頭部が前記一方向と交差する他方向を向いているときには前記頭部に係止されるように形成されるとともに、
前記頭部が前記一方向と交差する他方向に向いているときに前記第２部材の貫通孔に嵌挿され、且つ前記頭部が他方向を向いているときに嵌挿された第２部材の孔縁が、前記頭部が一方向を向いているときには前記頭部に係止されるように形成された、固定構造。
【請求項２】
前記固定具の首部は、前記頭部の一番太い部分より狭く且つ前記頭部の一番細い部分と同じかそれより太い部分を有し、前記首部において第１部材および／または第２部材の貫通孔が嵌合して固定されるように形成された、請求項１に記載の固定構造。
【請求項３】
前記第１部材の貫通孔は、前記固定具の頭部が一方向に向いているときに嵌挿され且つ固定具の首部に嵌合するように形成された、請求項１または請求項２に記載の固定構造。
【請求項４】
前記第２部材の貫通孔は、前記固定具の頭部が他方向に向いているときに嵌挿され且つ固定具の首部に嵌合するように形成された、請求項１ないし請求項３のいずれかに記載の固定構造。
【発明の詳細な説明】
【０００１】
【発明の属する技術分野】
この発明は、分離している部材を固定する固定構造に関し、特にたとえばバッグの胴部材と蓋部材とを固定するに適する固定構造に関する。
【０００２】
【従来の技術】
従来の分離している部材を固定する固定構造としては、たとえば、バッグの固定構造として、図２６ないし図２８に示すようなものがある。
このバッグの固定構造は、バッグ１の胴部２を構成する側版３に固定された固定具４の頭部５を回動し、胴部２を構成する前版６に形成された貫通孔７を前記頭部５に嵌挿し胴部２を構成する側版３に重ね合わせるとともに、蓋部を構成する蓋版部８に形成された貫通孔９を前記頭部５に嵌挿させ、蓋版部８と重ね合わせた後、頭部５を回動して蓋版部８を頭部５に係止するようにしたものである。
【０００３】
【発明が解決しようとする課題】
従来のこのバッグの固定構造においては、蓋版部８に形成された貫通孔９と頭部５を構成する前版６に形成された楕円状の貫通孔７とが、ほぼ同一の形状で、楕円状の貫通孔７の長軸および短軸のいずれもが蓋版部８の貫通孔９と前版６の貫通孔７とが同一で重なるように形成されているので、側版３と前版６とが重ね合わさったときに両貫通孔７，９が重ね合わさって、固定具４の頭部５が不意に回動したとき、蓋部の蓋版部８と胴部２を構成する前版６とが頭部５より抜け出て、胴部２を構成する前版６と側版３とが分離してしまうおそれがある。
【０００４】
それゆえに、この発明の主たる目的は、分離している部材が不用意に分離することがない固定構造を提供することである。
【０００５】
【課題を解決するための手段】
この発明の請求項１に記載の固定構造は、基材に固定された固定具と、基材の表面に重ねられ、且つ貫通孔に固定具が嵌挿されて基材に固定される第１部材と、第１部材の表面に重ねられて、且つ貫通孔に固定具が嵌挿されて基材に固定される第２部材とを含み、固定具は、少なくとも基材に固定される首部と、首部に回動自在に固定される頭部とを備え、頭部が一方向に向いているときに第１部材の貫通孔に嵌挿され、且つ頭部が一方向を向いているときに嵌挿された第１部材の孔縁が、頭部が一方向と交差する他方向を向いているときには頭部に係止されるように形成されるとともに、頭部が一方向と交差する他方向に向いているときに第２部材の貫通孔に嵌挿され、且つ頭部が他方向を向いているときに嵌挿された第２部材の孔縁が、頭部が一方向を向いているときには頭部に係止されるように形成された固定構造である。
この発明の請求項２に記載の固定構造は、固定具の首部は、頭部の一番太い部分より狭く且つ頭部の一番細い部分と同じかそれより太い部分を有し、首部において第１部材および／または第２部材の貫通孔が嵌合して固定されるように形成された、請求項１に記載の固定構造である。
この発明の請求項３に記載の固定構造は、第１部材の貫通孔は、固定具の頭部が一方向に向いているときに嵌挿され且つ固定具の首部に嵌合するように形成された、請求項１または請求項２に記載の固定構造である。
この発明の請求項４に記載の固定構造は、第２部材の貫通孔は、固定具の頭部が他方向に向いているときに嵌挿され且つ固定具の首部に嵌合するように形成された、請求項１ないし請求項３のいずれかに記載の固定構造である。
【０００６】
この発明の上述の目的，その他の目的，特徴および利点は、図面を参照して行う以下の発明の実施の形態の詳細な説明から一層明らかとなろう。
【０００７】
【発明の実施の形態】
図１は、この発明にかかる固定構造を用いたバッグの展開した状態を示す斜視図である。
図２ないし図６は、この発明の一実施の形態である固定構造の固定方法を示す斜視図解図である。
【０００８】
このバッグ１０は、その中に物品を収納する胴部１２と、胴部１２の開口部を被蓋する蓋部１４とからなる。
胴部１２と蓋部１４とは、一枚のプラスチック製シートで一体的に形成され、胴部１２はプラスチック製シートをトムソン加工を施してなる折り曲げ線に沿って折り曲げ、略直方体状の収容部を構成するように形成されている。蓋部１４は、胴部１２と連設され、折り曲げ線に沿って折り曲げて胴部１２の開口部を被蓋するように形成されている。
【０００９】
胴部１２は、平面長方形状の後版１６と、後版１６の左右両端縁に形成された側版１８（第１側版１８ａおよび第２側版１８ｂからなる）と、後版１６の長手下端縁に連設された長方形状の底版２０と、底版２０の後版１６側と対向する端縁（前側端縁）に連設された前版２２とからなる。
側版１８は、後版１６の一方の短手端縁との境界に形成された折り曲げ線２４ａを介して連設された第１側版１８ａと、後版１６の他方の短手端縁との境界に形成された折り曲げ線２４ｂを介して連設された第２側版１８ｂとからなる。側版１８を構成する第１側版１８ａおよび第２側版１８ｂは、後版１６と同一の幅を有するまち部２６ａ，２６ｂと、境界の折り曲げ線２４ｃ，２４ｄを介して、前部２８ａ，２８ｂとに分割され、折り曲げ線２４ｃ，２４ｄにおいて内側に折り曲げることができ、まち部２６ａ，２６ｂとほぼ直角に折り曲げられた前部２８ａ，２８ｂが、後版１６と平行になるように構成されている。
【００１０】
蓋部１４は、前記後版１６と境界の折り曲げ線３２ａを介して連設された後版１６と同一の幅を有する長方形状の上版部３０と、境界の折り曲げ線３２ｂを介して連設された方形の蓋版部３４とからなる。
また、前版２２には、略楕円形の貫通孔３６が穿設され、また蓋版部３４には貫通孔３８が穿設されている。
そして、底版２０は、前記後版１６と境界の折り曲げ線４０ａを介して連設され、後版１６と同一の幅を有する長方形状であり、前版２２は、前記底版２０と境界の折り曲げ線４０ｂを介して連設され、底版２０と同一の幅を有する略長方形状である。
【００１１】
この胴部１２を構成する側版１８の前部２８ａおよび前部２８ｂが、基材を構成し、前版２２が第１部材を構成し、蓋部１４を構成する蓋版部３４が第２部材を構成する。
【００１２】
第１側版１８ａの前部２８ａおよび第２側版１８ｂの前部２８ｂには、固定具５０が固定されている。
前版２２の貫通孔３６と蓋版部３４の貫通孔３８とは、第１側版１８ａの前部２８ａの固定具５０と第２側版１８ｂの前部２８ｂの固定具５０で固定されるために嵌挿されるので、それらに対応してそれぞれ左右一対形成されている。
固定具５０は、胴部１２を構成する前版２２を第１側版１８ａおよび第２側版１８ｂの表面上に重ねたとき、貫通孔３６が嵌挿されるとともに、蓋部１４を構成する蓋版部３４を第１側版１８ａおよび第２側版１８ｂの表面上に重ねたとき、貫通孔３８が嵌挿される位置に形成されている。
【００１３】
固定具５０は、側版１８に固定されるボトムユニット５２と、ボトムユニット５２に回動自在に固定されるトップユニット７０と、ボトムユニット５２を側版１８の外表面に取り付けたとき、側版１８の裏面から側版１８を挟持するようにボトムユニット５２に固定されるベースユニット８０とを備える。
ボトムユニット５２、トップユニット７０およびベースユニット８０は、いずれも合成樹脂で成形されてなる。
【００１４】
ボトムユニット５２は、図７ないし図１０に示すように、平面長方形状の基部５４と、前記基部５４のほぼ中央において上方に向けて突き出し設けられた平面四角柱状の首部５６と、基部５４の下面側に左右２箇所において下方に向けて突き出し設けられた脚部５８とを備える。
首部５６は、基部５４の平面状裏面（第１側版１８ａおよび第２側版１８ｂに取着される面）に直交する方向に上方に向いて突き出し設けられ、その中央において上面から下面にわたり貫設された嵌装孔６０が穿設されている。
嵌装孔６０は、平面略円形で上方から下方に向かうに従って徐々にその径が小さくなる円筒状に形成されるとともに、基部５４の裏面とほぼ同じ高さ位置において段部６２が形成され、且つ段部６２より下方に向けて拡がる固定穴６４が形成されている。固定穴６４は、基部５４の下面に形成された円筒状突部６６内に穿設されている。
このように、嵌装孔６０は、首部５６から円筒状突部６６にわたって連続して形成されている。
【００１５】
トップユニット７０は、図１１ないし図１５に示すように、前記ボトムユニット５２の首部５６より大きく、平面視して首部５６よりはみ出す大きさの頭部７２と、前記頭部７２の下面に突き出し設けられた嵌合凸部７４とを備える。
頭部７２は、前記貫通孔３６および貫通孔３８の平面形状に対応し、且つ頭部７２を貫通孔３６および貫通孔３８に出し入れ自在となる形状を備えている。すなわち、頭部７２は、楕円状の貫通孔３６および楕円状の貫通孔３８の長軸に沿って頭部７２の長軸に沿うように形成された断面略楕円の柱状に形成され、頭部７２を貫通孔３６および貫通孔３８に嵌挿したときに、頭部７２の方が貫通孔３６および貫通孔３８より若干小さい、比較的近似した形状を有する。
【００１６】
嵌合凸部７４は、割溝が中央に縦方向において穿設された二股状に形成され、その先端頭部には膨出部７６が形成され、図２０に示すように、嵌合凸部７４を前記ボトムユニット５２の嵌装孔６０に上方より嵌め込んだとき、嵌合凸部７４が二股状であるために嵌装孔６０の孔壁に沿って若干内側に湾曲しながら嵌挿される。そして、膨出部７６の上部の段部とボトムユニット５２の嵌装孔６０に形成された段部６２とが係止するように形成されているので、膨出部７６が固定穴６４内に嵌装された後は、嵌合凸部７４が嵌装孔６０より抜け出ることはない。
そして、トップユニット７０の頭部７２を手で持って回動させれば、ボトムユニット５２の嵌装孔６０内において円滑に同一水平面上において回動させることができる。
【００１７】
頭部７２は、その下面に、ボトムユニット５２の首部５６の上面と接する面に凸条７８が脚部５８の外側面より延びて形成され、該凸条７８を係止する凹条６８がボトムユニット５２の首部５６の頂上面に穿設されている。
特に、この実施の形態においては、頭部７２の長軸に沿って凸条７８が設けられ、凹条６８は、ボトムユニット５２の首部５６の幅方向（基部５４の長手方向）に凹条６８が形成されるとともにそれと直交する方向（基部５４の短手方向）にも凹条６８が穿設された、略十字状に設けられている。
【００１８】
ベースユニット８０は、図１６ないし図１９に示すように、前記ボトムユニット５２の脚部５８，５８に嵌合する固定孔８２が左右一対穿設され、前記固定孔８２と固定孔８２との間であってそのほぼ中央に、前記ボトムユニット５２の円筒状突部６６を嵌挿する固定孔８４が穿設されてなる、略楕円の板状体である。このベースユニット８０の裏面であって、ボトムユニット５２の脚部５８が嵌挿される固定孔８２の周辺近傍には、固定凹部８６が穿設されている。
而して、側版１８を構成する第１側版１８ａおよび第２側版１８ｂの所定の位置に穿設された取付孔９０に固定具５０を嵌挿し、ボトムユニット５２の円筒状突部６６をベースユニット８０の固定孔８４に嵌挿し、ボトムユニット５２の脚部５８の先端部を加熱し変形させて、固定凹部８６内に拡がるようにして脚部５８を固定凹部８６に固定して、ボトムユニット５２をベースユニット８０に固定する。
【００１９】
首部５６は、図２２および図２３に示すように、首部５６を構成する４つの側縁の中央部分が外側に膨出した断面略方形の形状を有し、前版２２の貫通孔３６の長縁部３６ａに設けられた円弧状凹部３６ｂおよび蓋版部３４の貫通孔３８の長縁部３８ａに設けられた円弧状凹部３８ｂに密に嵌合するように構成されている。
【００２０】
前記頭部７２が図２および図３に示すように、一方向（側版１８の長手方向に平行な方向）に向いているときに前記前版２２の貫通孔３６に嵌挿され、且つ前記頭部７２が一方向を向いているときに嵌挿された前版２２の貫通孔３６の孔縁が、前記頭部７２が前記一方向と交差する他方向（側版１８と直交する方向、すなわち、蓋版部３４の長手方向と直交する方向）を向いているときには前記頭部７２に係止されるように形成されるとともに、前記頭部７２が前記一方向（側版１８の長手方向に平行な方向）と交差する他方向（側版１８と直交する方向、すなわち、蓋版部３４の長手方向と直交する方向）に向いているときに前記蓋部１４を構成する蓋版部３４の貫通孔３８に嵌挿され、且つ前記頭部７２が他方向を向いているときに嵌挿された蓋版部３４の貫通孔３８の孔縁が、前記頭部７２が一方向を向いているときには前記頭部７２に係止されるように形成されている。また、前記固定具５０の首部５６は、前記頭部７２の一番太い部分より狭く且つ前記頭部７２の一番細い部分より太い部分を有し、前記首部５６において前版２２および／または蓋版部３４の貫通孔３６，３８が嵌合して固定されるように形成されている。もっとも、首部５６は、頭部７２の一番細い部分と同じでもよい。
【００２１】
このバッグ１０を使用するにあたっては、まず胴部１２を所定の形状に組み立てるために、側版１８を後版１６との境界の折り曲げ線２４ａ，２４ｂに沿って折り曲げ上方に向けて立ち上げるとともに、側版１８を構成する前部２８ａ，２８ｂをさらにまち部２６ａ，２６ｂとの境界の折り曲げ線２４ｃ，２４ｄにおいて折り曲げ、後版１６とほぼ平行となるように組み立てる。
そして、さらに、胴部１２を構成する前版２２を底版２０との境界の折り曲げ線４０ａ，４０ｂに沿って折り曲げ、後版１６とほぼ平行となるように側版１８の第１側版１８ａおよび第２側版１８ｂの外表面に重ね合わせる。
そして、前版２２の貫通孔３６を固定具５０の頭部７２に嵌挿し、さらに首部５６の位置まで降ろして側版１８の第１側版１８ａおよび第２側版１８ｂの外表面に重ね合わせる。
このとき、頭部７２の長軸と前版２２の貫通孔３６の長軸とは平行となるように頭部７２を回動し、頭部７２に貫通孔３８を嵌挿できるようにする。
【００２２】
そして、蓋部１４をもって被蓋するときには、蓋部１４を構成する蓋版部３４を上版部３０との境界の折り曲げ線３２ａに沿って折り曲げ、後版１６とほぼ平行となるように側版１８の第１側版１８ａおよび第２側版１８ｂの外表面および胴部１２の前版２２の外表面に重ね合わせ、蓋版部３４の貫通孔３８を固定具５０の頭部７２に嵌挿する。
このとき、固定具５０の頭部７２は、その長軸が蓋版部３４の貫通孔３８の長軸と平行となるように回動し、頭部７２の凸条７８を首部５６の凹条６８と係止させ、所定の位置に固定する。
そして、蓋版部３４の貫通孔３８の長縁部３８ａに設けられた円弧状凹部３８ｂを固定具５０の首部５６に合わせ固定する。
そして、頭部７２を回動し、首部５６の凹条６８に頭部７２の裏面に形成された凸条７８を係合させて一定の位置に固定する。
【００２３】
したがって、頭部７２は、蓋版部３４の貫通孔３８の長縁部３８ａより外側にはみ出し、蓋版部３４が頭部７２より抜け出ることはない。
また、頭部７２が不用意に回動し、蓋版部３４の貫通孔３８より抜け出たとしても、頭部７２が蓋版部３４の貫通孔３８より抜け出る位置においては、頭部７２が前版２２の貫通孔３６より抜け出る位置には存在しないために、前版２２の貫通孔３６より不用意に抜け出ることはない。
したがって、たとえ蓋版部３４が頭部７２より外れたとしても、少なくとも胴部１２を構成する前版２２は頭部７２より外れることがないため、胴部１２は所定の形状を保持したままの状態を維持する。
【００２４】
なお、この発明に係る固定構造は、前記実施の形態に限らず、また、バッグ１０の胴部１２と蓋部１４を胴部１２に固定するための固定構造として用いる場合に限らない。また、バッグとして用いるときには、図２５に示すように、バッグ１０の上版部３０に提げ手９２を取り付けて用いてもよく、また、提げ手がなくてもよい。
たとえば、首部５６の形状を前記実施の形態においては、横断面略方形に形成したが、たとえば変形してもよく、また、前版２２の貫通孔３６および蓋版部３４の貫通孔３８を、変形した首部５６の形状に沿ったものとしてもよい。
【００２５】
【発明の効果】
この発明によれば、基材に固定された固定具と、基材の表面に重ねられ、且つ貫通孔に固定具が嵌挿されて基材に固定される第１部材と、第１部材の表面に重ねられて、且つ貫通孔に固定具が嵌挿されて基材に固定される第２部材とを含み、固定具は、少なくとも基材に固定される首部と、首部に回動自在に固定される頭部とを備え、頭部が一方向に向いているときに第１部材の貫通孔に嵌挿され、且つ頭部が一方向を向いているときに嵌挿された第１部材の孔縁が、頭部が一方向と交差する他方向を向いているときには頭部に係止されるように形成されるとともに、頭部が一方向と交差する他方向に向いているときに第２部材の貫通孔に嵌挿され、且つ頭部が他方向を向いているときに嵌挿された第２部材の孔縁が、頭部が一方向を向いているときには頭部に係止されるように形成されているので、頭部は、第２部材の貫通孔の縁部より外側にはみ出し、第２部材が頭部より抜け出ることはない。また、頭部が不用意に回動し、第２部材の貫通孔より抜け出たとしても、頭部が第２部材の貫通孔より抜け出る位置においては、頭部が第１部材の貫通孔より抜け出る位置には存在しないために、第１部材の貫通孔より不用意に抜け出ることはない。したがって、たとえ第２部材が頭部より外れたとしても、第１部材は頭部より外れることがないため、所定の形状を保持したままの状態を維持することができる。
また、この発明によれば、固定具の首部は、頭部の一番太い部分より狭く且つ頭部の一番細い部分と同じかそれより太い部分を有し、首部において第１部材および／または第２部材の貫通孔が嵌合して固定されるように形成されているので、貫通孔に嵌挿された第１部材または第２部材の貫通孔の縁部より外側にはみ出し、第１部材または第２部材が頭部より抜け出ることがない。
さらに、第１部材の貫通孔は、固定具の頭部が一方向に向いているときに嵌挿され且つ固定具の首部に嵌合するように形成されているので、第１部材は固定具に固定された状態を維持することができる。
さらに、第２部材の貫通孔は、固定具の頭部が他方向に向いているときに嵌挿され且つ固定具の首部に嵌合するように形成されているので、第２部材は固定具に固定された状態を維持することができる。
【図面の簡単な説明】
【図１】この発明にかかる固定構造を用いたバッグの展開した状態を示す斜視図である。
【図２】この発明の一実施の形態である固定構造を示す斜視図解図である。
【図３】この発明の一実施の形態である固定構造の固定方法を示す斜視図解図である。
【図４】この発明の一実施の形態である固定構造の固定方法を示す斜視図解図である。
【図５】この発明の一実施の形態である固定構造の固定方法を示す斜視図解図である。
【図６】この発明の一実施の形態である固定構造の固定方法を示す斜視図解図である。
【図７】ボトムユニットの平面図である。
【図８】ボトムユニットの正面図である。
【図９】ボトムユニットの底面図である。
【図１０】ボトムユニットの縦断面図である。
【図１１】トップユニットの平面図である。
【図１２】トップユニットの正面図である。
【図１３】トップユニットの底面図である。
【図１４】トップユニットの縦断面図である。
【図１５】トップユニットの側面図である。
【図１６】ベースユニットの平面図である。
【図１７】ベースユニットの正面図である。
【図１８】ベースユニットの底面図である。
【図１９】ベースユニットの縦断面図である。
【図２０】トップユニットの脚部をボトムユニットの嵌装孔に差し込み固定する方法を示す断面図解図である。
【図２１】固定具と胴部との固定方法を示す図解図である。
【図２２】首部と貫通孔との嵌合状態を示す図解図である。
【図２３】固定具と蓋版部の貫通孔との固定方法を示す図解図である。
【図２４】固定具と前版の貫通孔との固定方法を示す平面図解図である。
【図２５】図１図示バッグの胴部を構成した状態を示す斜視図である。
【図２６】従来のバッグの固定構造を示す斜視図解図である。
【図２７】従来のバッグの固定構造を示す部分斜視図解図である。
【図２８】従来のバッグの固定構造を示す部分斜視図解図である。
【符号の説明】
１０  バッグ
１２  胴部
１４  蓋部
１６  後版
１８  側版
１８ａ  第１側版
１８ｂ  第２側版
２０  底版
２２  前版
２４ａ，２４ｂ，２４ｃ，２４ｄ  折り曲げ線（側版の）
２６ａ，２６ｂ  まち部
２８ａ，２８ｂ  前部
３０  上版部
３２ａ，３２ｂ  折り曲げ線（蓋部の）
３４  蓋版部
３６  貫通孔（前版の）
３６ａ  長縁部
３６ｂ  円弧状凹部
３８  貫通孔（蓋版部の）
３８ａ  長縁部
３８ｂ  円弧状凹部
４０ａ，４０ｂ  折り曲げ線（胴部の）
５０  固定具
５２  ボトムユニット
５４  基部
５６  首部
５８  脚部
６０  嵌装孔
６２  段部
６４  固定穴
６６  円筒状突部
６８  凹条
７０  トップユニット
７２  頭部
７４  嵌合凸部
７６  膨出部
７８  凸条
８０  ベースユニット
８２  固定孔
８４  固定孔
８６  固定凹部
９０  取付孔
９２  提げ手
【図１】
0003691811.tif 000002
【図２】
0003691811.tif 000003
【図３】
0003691811.tif 000004
【図４】
0003691811.tif 000005
【図５】
0003691811.tif 000006
【図６】
0003691811.tif 000007
【図７】
0003691811.tif 000008
【図８】
0003691811.tif 000009
【図９】
0003691811.tif 000010
【図１０】
0003691811.tif 000011
【図１１】
0003691811.tif 000012
【図１２】
0003691811.tif 000013
【図１３】
0003691811.tif 000014
【図１４】
0003691811.tif 000015
【図１５】
0003691811.tif 000016
【図１６】
0003691811.tif 000017
【図１７】
0003691811.tif 000018
【図１８】
0003691811.tif 000019
【図１９】
0003691811.tif 000020
【図２０】
0003691811.tif 000021
【図２１】
0003691811.tif 000022
【図２２】
0003691811.tif 000023
【図２３】
0003691811.tif 000024
【図２４】
0003691811.tif 000025
【図２５】
0003691811.tif 000026
【図２６】
0003691811.tif 000027
【図２７】
0003691811.tif 000028
【図２８】
0003691811.tif 000029